(57)【要約】  所定の構造物に換気を提供する製造方法とアセンブリが開示される。当該アセンブリは、可撓性部品、剛性部品、及びアセンブリ部品等の種々の要素を有し得る。さらに、当該アセンブリを形成して所定の結果を実現するために、一体化形成工程、種々の位置決め部材の封入工程、及び梱包又は輸送事項等の種々の工程が利用され得る。
2014524546.tif 000002
【特許請求の範囲】
【請求項１】
構造物に取り付けられる面壁部と、前記面壁部から延出するオリフィス壁であって当該オリフィス壁を通過する通路を画成するオリフィス壁と、を有するシュラウドと、
相互連結されるように構成された複数のディフューザ部材から形成されるディフューザと、を備え、
前記複数のディフューザ部材のそれぞれは、第１辺部分において複数のスロットを有し、前記第１辺部分に対向する第２辺部分において複数のタブを有し、
前記ディフューザは前記シュラウドと結合され、
前記複数のディフューザ部材のそれぞれは、第１主面と第２主面に亘って実質的に平坦であり、
前記第１主面と前記第２主面のいずれも、少なくとも他のディフューザ部材と相互連結される前において、前記複数のスロットを有する前記第１辺部分と前記複数のタブを有する前記第２辺部分との間に延出している、
送風機部のためのハウジング・アセンブリ。
【請求項２】
ドア部材に形成されたストライカ収納部内に固定されるストライカ部材と、
前記シュラウドに形成された磁石収納部内に固定可能な磁性閉鎖アセンブリと、
をさらに備え、
前記ストライカ収納部は、ドア部材の形成中に形成され、
前記ストライカ部材は、前記磁性閉鎖部材によって磁性的に保持され得る、
請求項１に記載のハウジング・アセンブリ。
【請求項３】
最外環状部材により規定された外側幾何学形状を有するグリル部材をさらに備え、
前記最外環状部材は、前記複数のディフューザ部材の相互連結により形成されたディフューザの環状内部に接触可能である、
請求項１に記載のハウジング・アセンブリ。
【請求項４】
前記面壁部から前記オリフィス壁に至る遷移半径は、前記通路の周りで変化し、
前記遷移半径は、前記面壁の側壁における第１遷移半径を有し、
前記第１遷移半径は、前記面壁の隅部分近傍の第２遷移半径より小さい、
請求項１に記載のハウジング・アセンブリ。
【請求項５】
前記通路を開放するように互いに対して移動可能である第１ドア及び第２ドアの両方をさらに備え、
前記オリフィス壁は、前記面壁の側壁に向かって傾斜し、
前記オリフィス壁は、前記構造物の外部の地表に向かう方向に傾斜するように設置されるよう構成されている、
請求項１に記載のハウジング・アセンブリ。
【請求項６】
前記シュラウド部のオリフィスを閉鎖可能であるドア部材をさらに備え、
前記ドア部材は、実質的に一定の素材厚さを有する素材から形成されるとともに、リブ構造に成形されて当該リブ構造の２つの対向する山部の間の距離としてのドア厚さを規定し、
前記ドア厚さは前記素材厚さより大きく、
前記リブ構造は、第１隆起リブ部と、第２隆起リブ部と、前記第１隆起リブ部と前記第２隆起リブ部との間の少なくとも１つの谷部と、を有し、
前記第１隆起リブ部と、前記第２隆起リブ部と、前記少なくとも１つの谷部とは、全体として２つのＤからなるリブ構造を規定している、
請求項１に記載のハウジング・アセンブリ。
【請求項７】
前記シュラウド部のオリフィスを閉鎖可能であるドア部材と、
２本のヒンジピンと、
をさらに備え、
前記ドア部材は、少なくとも２つのヒンジ収納部を形成するように成形され、
前記２つのヒンジ収納部のうちの一方は、前記ドア部材の各端部に形成され、
２本のヒンジピンのうちの一方は、前記ドア部材内に形成された前記ヒンジ収納部のそれぞれに配置される、
請求項１に記載のハウジング・アセンブリ。
【請求項８】
前記構造物の支持部材に取り付け可能である面壁部であって前記支持部材の近傍に配置されるように構成された少なくとも１つの辺部分を有する全体として幾何学的な形状を画成する面壁部、を有するシュラウドと、
オリフィスと、
前記面壁部から前記オリフィス壁部に至る遷移半径と、
を備え、
前記シュラウドは、前記面壁部に加えて、前記辺部分に隣接する隅部分と、当該シュラウドを貫通するように形成された通路と、を有し、
前記オリフィス壁は、前記面壁部から前記通路の周囲に延出してさらに前記通路を規定し、
前記遷移半径は、前記辺部分における第１遷移半径と前記隅部分における第２遷移半径とを有し、
前記第１遷移半径は前記第２遷移半径より小さい、
送風機部のためのハウジング・アセンブリ。
【請求項９】
前記第１遷移半径は、約０．２５ミリメータ（ｍｍ）（約０．０１インチ）乃至約７．６ｍｍ（約０．３インチ）であり、
前記第２遷移半径は、約７６ｍｍ（約３インチ）乃至約１０１ｍｍ（約４インチ）である、
請求項８に記載のハウジング・アセンブリ。
【請求項１０】
前記第１遷移半径は前記第２遷移半径の約１０倍よりも大きい、
請求項８に記載のハウジング・アセンブリ。
【請求項１１】
前記第１遷移半径は、前記第２遷移半径から前記通路の周囲で約１０度乃至約５０度分離間している、
請求項８に記載のハウジング・アセンブリ。
【請求項１２】
前記シュラウドの前記面壁部から前記オリフィス壁と同じ方向に約５１ｍｍ（約２ｉｎ．）未満延出する積層スペーサをさらに備える、
請求項８に記載のハウジング・アセンブリ。
【請求項１３】
第１ドア及び第２ドアと、
前記第１ドアに成形された第１ストライカ収納部に配置される第１ストライカ部材及び前記第２ドアに成形された第２ストライカ収納部に配置される第２ストライカ部材と、
前記オリフィス壁に成形された第１磁性アセンブリ収納部に配置される第１磁性アセンブリ及び前記オリフィス壁に成形され且つ前記第１磁性アセンブリ収納部から離間した第２磁性アセンブリ収納部に配置される第２磁性アセンブリと、
をさらに備え、
前記第１ドアは前記第１ドアに成形された一対の第１ヒンジピン収納部に配置される一対の第１ヒンジピンを有し、
前記第２ドアは前記第２ドアに成形された一対の第２ヒンジピン収納部に配置される一対の第２ヒンジピンを有し、
前記第１ドア及び前記第２ドアを、前記一対の第１ヒンジピン及び前記一対の第２ヒンジピンのそれぞれの周りで前記オリフィス壁に対して回動させることにより、前記第１ドア及び前記第２ドアは前記通路に対する開放位置と閉鎖位置との間で移動可能であり、
前記閉鎖位置において、前記第１ストライカ部材は前記第１磁性アセンブリと磁性的に相互作用して前記第１ドアを前記閉鎖位置に維持することを支援するとともに、前記第２ストライカ部材は前記第２磁性アセンブリと磁性的に相互作用して前記第２ドアを前記閉鎖位置に維持することを支援する、
請求項８に記載のハウジング・アセンブリ。
【請求項１４】
第１端部と第２端部の間で前記オリフィス壁を貫通して延出する固定部材をさらに備え、
前記第１端部は選択的にディフューザと結合され、
前記第２端部は付勢部材により第１ドアと第２ドアに結合され、これにより前記第１ドアと前記第２ドアは前記シュラウドに向かって付勢される、
請求項８に記載のハウジング・アセンブリ。
【請求項１５】
タブとスロットとの連結により互いに連結される複数のディフューザ部材を有するディフューザ・アセンブリをさらに備え、
前記複数のディフューザ部材のうちの第１ディフューザ部材の噛合い面に平面的に整列して延出する第１のタブが、前記複数のディフューザ部材のうちの第２ディフューザ部材の協働スロットを通るように配置され、
前記複数のディフューザ部材のそれぞれは、第１端部及び第２端部において前記複数のディフューザ部材のうちの他のディフューザ部材と連結され、
前記複数のディフューザ部材のそれぞれは、実質的に平坦な第１主面と、対向する第２主面と、を有し、
前記第２主面は、前記第１辺部分と前記第２辺部分との間に延出し、
前記ディフューザ・パネルのそれぞれはプラスチックから形成される、
請求項８に記載のハウジング・アセンブリ。
【請求項１６】
構造物に取り付けられる面壁部と、前記面壁部から延出するオリフィス壁であって当該オリフィス壁を通過する通路を画成するオリフィス壁と、を有するシュラウドと、
互いに結合された複数の実質的に平坦なシートプラスチック製ディフューザ部材から形成されたディフューザと、
前記ディフューザの出口近傍に結合されたグリルであって、前記ディフューザの内周面に接触するように配置された実質的に硬質の最外略円形部材を有するグリルと、
を備え、
前記ディフューザは前記シュラウドに結合され、
前記ディフューザは前記グリルにより実質的に円形状に維持されている、
送風機部のためのハウジング・アセンブリ。
【請求項１７】
前記ドア部材は、実質的に一定の素材厚さを有する素材から形成されるとともに、リブ構造に成形されて当該リブ構造の２つの対向する山部の間の距離としてのドア厚さを規定し、
前記ドア厚さは前記素材厚さより大きく、
前記リブ構造は、第１隆起リブ部と、第２隆起リブ部と、前記第１隆起リブ部と前記第２隆起リブ部との間の少なくとも１つの谷部と、を有し、
前記第１隆起リブ部と、前記第２隆起リブ部と、前記少なくとも１つの谷部は、全体として２つのＤからなるリブ構造を形成している、
請求項１６に記載のハウジング・アセンブリ。
【請求項１８】
少なくとも２本のヒンジピンをさらに備え、
前記ドア部材は、少なくとも２つのヒンジ収納部を形成するように成形され、
前記２つのヒンジ収納部のうちの一方は、ドア部材の各端部内に形成され、
２本のヒンジピンのうちの一方は、前記ドア部材内に形成された前記ヒンジ収納部のそれぞれに配置される、
請求項１６に記載のハウジング・アセンブリ。
【請求項１９】
前記面壁部から延出するオリフィス壁と、
前記オリフィス壁の周囲を維持すべく、前記オリフィス壁に結合されると共に当該オリフィス壁を取り囲む管状支持部材と、
をさらに備える請求項１６に記載のハウジング・アセンブリ。
【請求項２０】
３次元のモノリシックなシュラウド・アセンブリを形成する工程を備え、
前記シュラウド・アセンブリは、
面壁平面を実質的に画定する面壁、及び、前記面壁から第１方向に延出するオリフィス壁を有するシュラウドと、
少なくとも前記オリフィス壁により規定された通路を閉鎖可能なドアと、
前記オリフィス壁又は前記ドアの一方にある磁石収納部と、
前記ドア又は前記オリフィス壁の一方にあるストライカ収納部と、
を有し、
前記磁性アセンブリ収納部は磁性アセンブリを収容するための少なくとも１つの開放端部を有し、
前記ストライカ収納部は、前記ストライカ部材を収納するように構成され、
前記ドアを前記シュラウドから分離させて、前記ストライカ収納部を前記磁石収納部に隣接させて配置する工程をさらに備える、
送風機部のためのハウジング・アセンブリを製造する方法。
【請求項２１】
前記磁石収納部は前記オリフィス壁の内側に形成されるとともに、前記ストライカ収納部は前記ドアの外側に形成され、
前記ドアの前記シュラウドからの分離時において、前記ドアは当該ドアの外側を前記内側に配置するように反転されて、前記ストライカ収納部が前記オリフィス壁の内側の磁石収納部に隣接して配設される、
請求項２０に記載の方法。
【請求項２２】
磁性アセンブリを前記磁性収納部に配設する工程をさらに備え、
前記オリフィス壁と当該オリフィス壁上の前記磁石収納部は一体的に形成されている、
請求項２０に記載の方法。
【請求項２３】
前記ドアは第１ヒンジ収納部と第２ヒンジ収納部とを有するように形成され、
第１ヒンジピンを前記第１ヒンジ収納部に挿入するとともに第２ヒンジピンを前記第２収納部に挿入する工程を備える、
請求項２２に記載の方法。
【請求項２４】
２つのＤからなるリブパターンを前記ドアに形成する工程をさらに備え、
前記ドアは或る素材厚さを有する素材から形成され、
前記ドアにおける前記２つのＤからなるリブパターンは、前記素材厚さより大きいドア厚さを形成している、
請求項２０に記載の方法。
【請求項２５】
複数の実質的に平坦なディフューザ部材をプラスチックから形成する工程をさらに備え、
形成された少なくとも１つの副次的な複数の実質的に平坦な前記ディフューザ部材が、連結され前記形成されたシュラウドに組み立てられる、
請求項２０に記載の方法。
【請求項２６】
前記３次元のモノシリックなシュラウド・アセンブリを形成する工程は、前記オリフィス壁の外側を取り囲み前記オリフィス壁と同じ方向に前記面壁から延出する複数のスペーサを形成する工程をさらに有する、
請求項２０に記載の方法。
【請求項２７】
複数の前記シュラウドを積層する工程であって、少なくとも２つのドアを、積層された前記複数のシュラウドの各々の間に位置させる工程をさらに備える、
請求項２６に記載の方法。
【請求項２８】
複数の実質的に平坦なプラスチック製ディフューザ部材を形成する工程と、
前記複数の実質的に平坦なディフューザ部材のそれぞれに少なくとも１つのスロットを形成する工程と、
前記実質的に平坦なディフューザ部材のそれぞれに少なくとも１つのタブを形成する工程と、
をさらに備え、
前記形成された少なくとも１つの副次的な複数の実質的に平坦なディフューザ部材の一連において、少なくとも１つの前記形成されたタブを前記形成されたスロットに貫通させることで、形成された少なくとも１つの副次的な複数の実質的に平坦な前記ディフューザ部材を連続して相互連結することによりディフューザが形成される、
請求項２０に記載の方法。
【請求項２９】
磁性アセンブリを前記磁性アセンブリ収納部に挿入する工程と、
ストライカ・プレートを前記ストライカ収納部に挿入する工程と、
挿入された前記磁性アセンブリ及び挿入された前記ストライカ・プレートを、前記磁性アセンブリ収納部及び前記ストライカ収納部のそれぞれ内において摩擦で保持する工程と、
をさらに備える請求項２１に記載の方法。
【請求項３０】
少なくとも前記磁性アセンブリが、前記磁性アセンブリ収納部内で可動である、
請求項２９に記載の方法。
【発明の詳細な説明】
【技術分野】
【０００１】
本出願は、２０１１年８月２３日に出願された米国実用新案出願第１３／２１５，８４０号に基づいて優先権を主張するものである。前記出願の全内容を参照としてここに組み込む。
【０００２】
本願の教示は換気システムに係り、特には構造物に装着可能な送風機用のハウジングに関する。
【背景技術】
【０００３】
種々の構造物が、所定の環境を維持するために換気システムを利用することがある。換気システムは、構造物内で、外気の供給が維持されつつ様々な物質の許容レベルが維持されることを確保するのに役立ち得る。さらに、換気システムは、居住者により排出される二酸化炭素等の好ましくない化合物を建物から除去する支援となり得る。ゆえに、換気システムは大量の空気を移動させるために用いられてもよいし、一般的には空気を移動させるための種々の送風システムを有してもよい。
【０００４】
例示的な構造物は、換気システムを必要とするであろう家畜舎を含み得る。家畜舎とは、通常、生産又は飼育作業の実施に使用される適当な建物であり得る。例えば、家畜舎は、鶏、室内豚、又は他の家畜を収容及び／又は飼育するために使用される建物を含み得る。一般に、このような家畜舎は、所定平方フィートの範囲に亘っていることがあり、これにより飼育、抱卵、間引き等の種々の目的のために所定の領域内で所定数の家畜を集合させることが可能とされている。これらの家畜舎は、家畜舎の厳密に制御された環境を得る能力を確保するために、全体として密閉された又は実質的に閉鎖された構造物である場合がある。したがって、換気システムは、所定の環境を維持する役割を果たし得る。例えば、換気システムは、呼吸による気体（ガス）及び動物の屎尿から放出される気体等の様々な副生成物を構造物から除去して新鮮な空気の供給を確保することを支援したり、又は家畜舎における所定の温度を維持することを支援し得る。したがって、換気システムの最大効率を実現することが望まれているであろう。
【発明の概要】
【０００５】
送風機は、家畜舎内の環境の一部を制御するための換気システムの一部であり得る。送風機は、所定量の空気を所定の割合で、例えば毎分１立方フィート（ｃｆｍ）の空気を移動させて、所定の気体を家畜舎環境から除去することを支援し、他の所定の気体を家畜舎環境へ導入するために使用され得る。例えば、送風機は、家畜舎で飼われている家畜により産生された呼吸による気体を移動させてその気体を大気と交換するように使用されることがある。送風機システムは、実質的にモノリシックな態様で、すなわち一体的な態様で形成され得るハウジングの少なくとも一部を有することが可能である。モノリシックな送風機ハウジングは、送風機用のシュラウドと、複数の後ドラフトダンパー・ドアと、これらのドア用の支持体と、を有し得る。
【０００６】
これらのドアは、少量の又は存在しない程の空気の家畜舎の通過を所定回数に亘って維持することを支援し得る。さらに、送風機のシュラウドは、このシュラウドに一体的にすなわちモノリシックに形成されたこれらのドアを有し得る。所定の有効空気流又は速度をなすことを支援し得るシュラウドに、ディフューザ又は円錐体を取り付けることが可能である。一方、ディフューザは、シュラウドと異なる素材又は同一の素材から形成され得る。例えば、ディフューザは実質的に可撓性であり得る。したがって、ディフューザは成形サイズを有し得るが、設置中に屈曲してディフューザの効率を実質的に減少させずに設置を実現する場合がある。また、後ドラフト・ドアは、これらのドアを開放するドア作動システムに組み付けられた後に作動し、これにより、送風機が作動中の最大又は高効率気流位置、又は送風機が非作動中の実質的に閉鎖された位置を実現し得る。
【０００７】
種々の実施形態により、送風機部用のハウジング・アセンブリが開示される。ハウジングは、構造物の支持部材の間に取り付け可能な面壁部と、この面壁部から延出するオリフィス壁と、を有するシュラウドを有することが可能である。ハウジングは、オリフィス壁を貫通する通路を形成する。さらに、ハウジングは、相互連結されるように構成された複数のディフューザ部材により形成されるディフューザを有することが可能である。これらの複数のディフューザ部材のそれぞれは、第１側面に複数のスロットを有し、前記第１側面に対向する第２側面に複数のタブを有している。ディフューザはシュラウドと連結可能とされている。これらの複数のディフューザ部材のそれぞれは、第１主面及び第２主面に亘って実質的に平坦である。少なくとも他のディフューザ部材と相互連結される前には、前記第１主面及び第２主面の両者は、複数のスロットを有する第１側面と複数のタブを有する第２側面との間に延出している。
【０００８】
種々の実施形態により、送風機部用のハウジング・アセンブリが開示される。ハウジングは、構造物の支持部材に取り付け可能な面壁部を備えたシュラウドを有することが可能である。面壁部は、少なくとも辺部分とこの辺部分に隣接した隅部分とからなる全体として幾何学的な形状を形成している。シュラウドを貫通する通路を形成することが可能である。オリフィス壁が面壁部から通路の周囲に延出してさらにこの通路を画成し得る。ハウジングは、面壁部からオリフィス壁部に至る遷移半径を形成し得る。遷移半径は、辺部分における第１遷移半径と、隅部分における第２遷移半径と、を含む。第１遷移半径は第２遷移半径より小さい。
【０００９】
種々の実施形態により、送風機部用のハウジング・アセンブリを製造する方法が開示される。この方法は、３次元のモノリシックなシュラウド・アセンブリを形成する工程を有し得る。モノリシックなシュラウド・アセンブリは、面壁平面を実質的に画成する面壁とこの面壁から第１方向に延びるオリフィス壁とを有するシュラウドと、オリフィス壁の内側の磁石収納部であって磁性アセンブリを受容する少なくとも１つの開放端部と少なくともオリフィス壁により形成される通路を閉鎖可能なドアとを有する磁性アセンブリ収納部と、このドアの外側のストライカ収納部であってストライカ部材を収容するように構成されたストライカ収納部と、を有し得る。前記方法は、ドアをシュラウドから分離させる工程と、ドアを反転させてドアの外側を内側に配置し、これによりストライカ収納部をオリフィス壁の内側の磁石収納部に隣接して配設する工程と、をさらに有することができる。
【００１０】
本願による教示のさらなる適用範囲が以下に提供される説明から明らかになるであろう。以下の説明と数々の例は、本願の教示の種々の実施形態を示す一方で例示のみを目的とすることが意図されており、本願の教示を制限することを意図するものではないということが理解されるべきである。
【００１１】
本願の教示は以下の詳細な説明と添付図面とからさらに完全に理解されるであろう。
【図面の簡単な説明】
【００１２】
【図１】図１は、種々の実施形態による、換気ハウジングのディフューザ側の斜視図である。
【図２】図２は、図１の換気ハウジングの送風機側の斜視図である。
【図３】図３は、ディフューザ・パネルの平面図である。
【図４】図４は、タブとスロットの構造を示す、２枚のディフューザ・パネルの詳細な図である。
【図５Ａ】図５Ａは、２枚のディフューザ・パネルを接続する工程の斜視図である。
【図５Ｂ】５Ｂは、２枚のディフューザ・パネルを接続する工程の斜視図である。
【図６】図６は、シュラウドの入口側の斜視図である。
【図７】図７は、ディフューザとオリフィス壁の側面図である。
【図８Ａ】図８Ａは、シュラウドと位置表示部材の詳細な図である。
【図８Ｂ】図８Ｂは、シュラウドとこれに接続されたディフューザの詳細な図である。
【図９】図９は、ドアが閉鎖位置にある、ディフューザの入口側の内側の詳細な図である。
【図１０】図１０は、シュラウドとオリフィス壁の斜視図である。
【図１１】図１１は、シュラウドとドア部材を重ねた斜視図である。
【図１２】図１２は、一体的に形成されたシュラウドとドアの入口側からの斜視図である。
【図１３Ａ】図１３Ａは、一体的に形成された出シュラウドとドアの口側からの斜視図である。
【図１３Ｂ】図１３Ｂは、図１３Ａの詳細な図である。
【図１４】図１４は、内部にヒンジピンを配置されたドアの詳細な図である。
【図１５】図１５は、ドア部材の横断面図である。
【図１６Ａ】図１６Ａは、磁性アセンブリのサイド・プレートである。
【図１６Ｂ】図１６Ｂは磁性アセンブリ収納部である。
【図１６Ｃ】図１６Ｃは、磁性アセンブリ収納部と磁性アセンブリのサイド・プレートの詳細な周囲図である。
【図１６Ｄ】図１６Ｄは、磁性アセンブリと磁性アセンブリ収納部との部分組立図である。
【図１６Ｅ】図１６Ｅは、磁性アセンブリを磁性アセンブリ収納部に完全に組み立てた図である。
【図１６Ｆ】図１６Ｆは、磁性アセンブリ収納部に完全に組み付けられた磁性アセンブリの斜視図である。
【図１７】図１７は、磁性アセンブリ収納部から取り外された磁性アセンブリの詳細な図である。
【図１８】図１８は、ストライカ・プレートの平面図である。
【図１９】図１９は、ストライカ・プレート収納部を有するドア部材の平面図である。
【図１９Ａ】図１９Ａは、図１９の円１９Ａ内からの詳細な図である。
【図２０】図２０は、ドア部材のストライカ・プレート収納部に組み付けられたストライカ・プレートの詳細な図である。
【発明を実施するための形態】
【００１３】
種々の実施形態についての以下の説明は本質的に単なる例示であって、本願の教示、適用又は使用を制限することを一切意図していない。以下の教示は家畜舎において使用される換気システムに概して関するものであるが、本システムはあらゆる適当な適用例に利用され得る。
【００１４】
図１及び２を参照すると、換気又は送風機ハウジング・アセンブリ１０が図示されている。換気ハウジング・アセンブリ１０は、送風機モータ１２と送風機軸１４と複数の送風機ブレード１６とを有する送風機部又はアセンブリ１１を備えている。送風機部１１は、通常、所定量の気体（例えば、空気）を所定の速度で移動させる推進力を提供する。送風機部１１により移動可能な気体の量は、送風機モータ１２の出力、送風機ブレード１６の大きさ及び配向や他の種々の部品に依存し得ることが理解されるであろう。また、換気ハウジング・アセンブリ１０は、種々の実施例の形態によるあらゆる適当な大きさ、構造等に形成され得ることが理解されるであろう。
【００１５】
通常、換気ハウジング・アセンブリ１０はシュラウド２０を有している。シュラウド２０は、例えばブレード１６の異なる直径のような種々の大きさの送風機部１１に適した大きさにおいて設計され得る。シュラウド２０は、構造物内に設置されて実質的に鉛直方向に平行なスタッド間又は支持部間に含まれ得るように、略正方形又は長方形であり得る。したがって、シュラウド２０は、４つの側壁２０ａ、２０ｂ、２０ｃ及び２０ｄを有し得る幾何学的な形状を概ね規定するであろう。４つの側壁２０ａ乃至２０ｄは、前方又は出口の側壁すなわち正面壁２０ｅに対する外側支持部を提供する。出口側壁２０ｅは、側壁２０ａ−２０ｄにより規定される領域に実質的に等しい領域を概ね画成しており、種々の特徴を提供するために所定の幾何学的な形状を有することも可能である。例えば、側壁２０ａ−２０ｄ及び正面壁２０ｅは、送風機部１１からの実質的に有効な気流を生成するように設計され得る。さらに、シュラウド２０は、送風機部１１を支持し、且つ、例えば天候、害虫等のような様々な外部環境から送風機部１１を保護するように設けられている。側壁部２０ａ−ｄの間又は近傍に、隅部分又は接続部２０ｆ、２０ｇ、２０ｈ、２０ｉが設けられている（図６に図示されるように）。
【００１６】
また、換気ハウジング・アセンブリ１０は、一組のドア３０を有し得る。ドア３０は、第１ドア３２と第２ドア３４とを含み得る。第１ドア３２及び第２ドア３４は、少なくともシュラウド２０の前面壁２０ｅにより規定される開口部をオリフィス壁１０６を介して閉鎖して実質的に覆うことが可能である。ドア３０は、ヒンジ又はヒンジ・ポスト（以下にさらに述べる）に全体として組み付けられ得る。ヒンジ又はヒンジ・ポストは、シュラウド２０の一部であるか又はこれから延出する支持構造３６に相互連結され得るか又は当該支持構造３６から延出している。シュラウド２０及びドア３０並びに支持構造体３６は、本明細書に記載されるように、一部品として実質的にモノリシック（一体）に形成され得る。一部品として形成される場合、ドア３０は切断又は他の分離機構又は他の分離行為によりシュラウド２０から分離される。或いは、ドア３０は別個に形成されて、例えばシュラウド２０の設置時のようなその後のときに、シュラウド２０に一体化されてもよい。ドア３０は、シュラウド２０の残りの部分と協動して実質的に開口部を覆い、これにより送風機部１１に対する空気の流れを制限するように設けられ得る。本明細書で詳述されるように、磁性及び／又はバネ付勢システムをさらに設けてもよい。
【００１７】
さらに、ディフューザ４０をシュラウド２０に組み付けるか一体化してもよい。ディフューザ４０は、外面４２及び内面４４を有し得る。内面４０は、気体を所定の方向に移動させる際の送風機部１１の空気動力を支援するように設計されている。一般に、ディフューザ４０は、送風機部１１の下流側に設けられている。したがって、空気流は、ディフューザの外側大型出口側４６を通って出ていく。ディフューザの入口側４８は、比較的小さく、シュラウド２０に概ね取り付けられ得る。
【００１８】
ディフューザ４０は適当な態様でシュラウド２０に接続されることが可能である。例えば、以下にさらに詳述される複数の締結部材１３０（図６）が、ディフューザ４０とハウジング２０とを相互連結するように使用され得る。代替的に又はこれと組み合わせて、圧縮バンド乃至部材が、ディフューザ４０をシュラウド２０に相互連結するように使用され得る。
【００１９】
ディフューザ４０は、グリル乃至カバー５０に接続され得る。グリル５０は、適当なゲージステンレス鋼または被覆スチールワイヤ等の剛性素材から全体として作成されることが可能である。他の適当な素材は、ロッド形状部に形成可能なガラス充填ナイロン等の剛性プラスチックである。グリル５０は空気の通過を許容するが、大きな物体がディフューザ４０に侵入することは許容しない。一般に、グリル５０はディフューザ４０の出口端部４６の近傍に配置されて、ディフューザ４０を通る実質的に解放した気道を維持することに寄与する。例えば、グリル５０は、ディフューザ４０の内部４４に実質的に近接する又は接触する外側剛性部材５２に含まれ得る。外側部材５２は、ディフューザ４０を実質的に外側部材５２の形状で支持することができる。したがって、外側部材５２はディフューザを外側部材５２の所定の形状で支持することができる。外側部材５２は環状形状又はリング形状であり得るとともに、グリル５０の他の部材と形状において類似することもできる。
【００２０】
図３乃至５に示すように、ディフューザ４０は複数のパネル６０から形成され得る。本明細書及び図面に記載され示されるように、パネル６０は実質的に平面的に形成又は製造されることが可能である。複数のパネル６０は相互連結されて、図１に示すような略円錐状の、又は他の適当な形状のディフューザ４０を形成している。所定のディフューザ円錐体４０を形成するのに必要なパネル６０の正確な数は、ディフューザ円錐体４０の入口又は出口の最終直径、ディフューザ円錐体４０の素材の剛性、及び他の事項に基づき得る。パネル６０のそれぞれは、設置後にシュラウド２０の近傍に位置する第１辺部分６２を含み得る。第１辺部分６２は、設置を支援するような半径を有し得る。例えば、この半径は、約１８０インチ（ｉｎ．）（約４５７センチメータ（ｃｍ））乃至約２５０インチ（約６３５ｃｍ）であり、これには約１９０インチ（約４８２ｃｍ）乃至約２３０インチ（約５８４ｃｍ）が含まれ、さらに約２２０インチ（約５６０ｃｍ）又は約０．５メータが含まれる。第２辺部分６４は、出口側を画成し得るとともにやはり半径を有し得る。出口辺部分６４の半径は、例えば、約２１０インチ（約５３３ｃｍ）乃至約３００インチ（約７６２ｃｍ）であり、これには約２２０インチ（約５６０ｃｍ）乃至約２６０インチ（約６６０ｃｍ）が含まれ、さらに約２５５インチ乃至２６０インチ（約６４７ｃｍ乃至約６６０ｃｍ）が含まれ、さらにまた約０．６メータが含まれる、適当な半径であり得る。
【００２１】
複数のパネル６０は、連続して相互連結されて略円形又は環状オリフィスを形成し、これによりディフューザ４０の円錐体を画成し得る。第１及び第２辺部分６２、６４は、それぞれ第３及び第４辺部分６６、６８により相互連結され得る。第３辺部分６６は、この辺部分６６の縁部近傍に複数のスロット７０を形成し得る。スロットの数はあらゆる適当なスロット数であり得るが、複数のパネル６０を相互接続するように選定又は要望される接続数に基づいて選定され得る。第４又は対向辺部分６８は、複数のタブ７２を含み得る。本明細書においてさらに記載されるように、タブ７２は一連の連続する又は連続に続いて並ぶパネル６０（例えば図５）のスロット７０に相互連結するような寸法とされ得る。パネル６０のそれぞれは、ディフューザ４０の円錐形状を形成しつつ他のパネルと相互連結するように所定の可撓性又は変形性を有し得る所定の素材から形成され得る。一般的に、素材はディフューザ４０の使用に適する適当な剛性と可撓性とを含み得るプラスチック素材であり得る。各パネル６０は、全体として平坦であり得るとともに辺部分６６と辺部分６８との間に延びる２つの平坦な主面を画成し得る。
【００２２】
図３を続けて参照しながら図４を参照すると、第１パネル６０ａの各タブ７２又は所定数のブ７２が、別個の第２パネル６０ｂの１つのスロット７０に挿入されようとしている。こうして２枚の隣接又は連続するパネル６０ａ、６０ｂは、スロット７０を通るようにタブ７２を配置し、各パネル６０ａ、６０ｂを噛み合わせることにより相互連結され得る。タブ７２のそれぞれは、第２縁部分６８から所定距離で延出し得る。少なくとも片方の又は選択的には両方の辺部分又は縁部分において、タブ７２はアンダーカット部分又は内向カット部分７６、７８を有し得る。通常、アンダーカット部分は、約０．０１インチ（約０．２５ミリメータ（ｍｍ））乃至約０．５インチ（約１３ｍｍ）の半径、さらに約０．０１インチ（約０．２５ｍｍ）乃至約０．０５インチ（約１．３ｍｍ）の半径、さらには約０．３インチ（約７．６ｍｍ）又は約０．７ｃｍの半径を有し得る。また、アンダーカット部分は、外側壁７２とアンダーカット縁部分７６ａ及び７８ａのそれぞれとの間に距離８０を画成し得る。距離８０は、通常、パネル６０の厚さに関連する距離であり得る。例えば、距離８０は、パネル６０の厚さの約２倍であり得る。スロット７０は長さ８２及び幅８４を含み得る。幅８４は、アンダーカット部分７６、７８に形成された距離８０と同様または同等であり得る。スロット７０の長さ８２は、アンダーカット部分長さ、すなわちタブ長さ８６と同様又は若干大きいものであり得る。一般に、タブ７２は、スロット７０の長さ８２と約同等又は若干大きい別の長さ８３を含み得る。本明細書に記載されるように、これによりタブ７２気体ロット７０の周囲の縁部にスナップ嵌め又は締まり嵌め可能とされる。
【００２３】
図５Ａ及び図５Ｂに示すように、あるパネル６０ａから延びるタブは、別のパネル６０ｂのスロット７０に、パネル同士が互いに約９０°の角度６０αにある状態において挿入され得る。図５Ｂに示すように、パネル６０ａ、６０ｂが９０°位置から矢印６０β方向に略平行位置まで回動されると、タブ７２はスロット７０にスナップ嵌めされて所定位置に固定される。同様にして、所定枚数のパネル６０が相互連結されてディフューザ円錐体４０が形成され得る。所定枚数とは約４枚を含み得る。タブ７２は、選択的に、完成された円錐体４０の外側か又は円錐体４０の内側に配置され得る。
【００２４】
パネル６０のそれぞれは、所定の単独押出シートから個別成形又は打抜きにより形成され得る。例えば、所定の素材からなるシートが、例えば厚さ（例えば約１．５ｍｍ乃至約３．０ｍｍの厚さ）等の所定の寸法を有するように押出され得る。一旦シートが押出されると、適当枚数のパネル６０が、押し出されたシート素材から打抜かれ得る。その後、パネル６０のそれぞれは略平坦な態様で積み重ねられ、所定の設置現場まで輸送され得る。例えば単独のハウジング・アセンブリ１０に必要な枚数のような或る複数枚のパネル、又は所定数のハウジング・アセンブリ１０に必要なような或る複数枚のパネル６０が、輸送のためにまとめて梱包され得る。また、パネル６０の設置及び組み立ては、複数のパネル６０の相互接続のためにタブ７２気体ロット７０に位置決めされるため、実質的に工具を用いずに実施され得る。本明細書においてさらに記載されるように（図６）、組み立てられた円錐体４０はシュラウド２０に連結され得る。また、パネル６０を形成するためのプラスチック又は他の所定のポリマー等の素材は、所定の寿命が提供されるように（例えば、ＵＶ、熱、寒さ等に耐性を有する）実質的に非腐食性素材であり得る。また、タブとスロットとの相互接続は、更なる道具や締結具を必要とせずに、複数の所定枚数のパネル６０の実質的に強固な相互接続を提供し得る。上記のように、外側部材５２は、設置後に所定の位置又は配向において、ディフューザ円錐体４０とディフューザ円錐体４０を形成するパネル６０とを選択的に配置し得る。
【００２５】
図６を参照すると、シュラウド２０の入口側部１００は、全体として所定のオリフィス１０２を含むよう形成され得る。送風機アセンブリ１１は、オリフィス１０２を介して、所定量の気体をシュラウド２０の面壁２０ｅを通じて移動させるように作動され得る。支持体３６は、シュラウド２０の出口側近傍に概ね形成され得る。オリフィス１０２は、送風機アセンブリ１１がシュラウド２０の内部に配置され、且つ作動時に自由に回転することを可能にする寸法を有するように形成され得る。
【００２６】
シュラウド２０又は面壁２０ｅは、オリフィス１０２の直径の最大化を可能にし得る可変遷移半径を含み得る。オリフィス１０２の直径の最大化は、シュラウドの支持フランジ２０ｘの全体的な寸法を最小にする。また、本明細書に記載されるように、遷移半径が大きいほど、シュラウド２０を通過する気体の移動に対するシュラウド２０の効率を高めることができる。通常、可変半径は、シュラウド２０の４つの側壁２０ａ乃至２０ｄの実質的近傍にある第１可変半径１０４を含み得る。第１半径１０４は、平坦面乃至面壁２０ｅとオリフィス１０２を画成する内側壁１０６と、の間に画定された半径であり得る。側壁に隣接する半径１０４は、例えば約０．０１インチ（約．２５ｍｍ）乃至約１インチ（約２５ｍｍ）、さらに約０．０１インチ（約０．２５ｍｍ）乃至約０．５インチ（約１３ｍｍ）、さらには約０．１インチ（約２．５ｍｍ）乃至約０．２インチ（約０．５ｍｍ）等の所定の半径を含み得る。側壁半径１０４は、側壁部２０ａ乃至２０ｄに隣接するとともに面壁２０ｅとオリフィス壁１０６との間に規定される半径であり得る。側壁半径１０４は、隅オリフィス半径１０８とも称される第２遷移半径より小さいか実質的に小さい。隅オリフィス半径１０８は、シュラウド２０の４つの隅部分２０ｆ−２０ｉ近傍に規定乃至形成されている。側壁半径１０４は隅半径１０８に移行する。隅半径１０８は、約１インチ（約２５ｍｍ）乃至約５インチ（約１３ｃｍ）であり得る。これにはさらに約２インチ（約５ｃｍ）乃至約４インチ（約１０ｃｍ）が含まれ、さらには約３インチ（約８ｃｍ）乃至約３．５インチ（約９ｃｍ）が含まれる。隅壁半径１０８は、面壁２０ｅと、隅部分に隣接するオリフィス壁１０６と、の間に規定される。
【００２７】
したがって、側壁半径１０４は、隅壁半径１０８より実質的に小さいものであり得る。例えば、側壁半径１０４は側壁半径より約１０乃至３０倍大きいものであり得る。これには、側壁半径より約１５乃至２５倍大きい半径が含まれ、さらに側壁半径より約２０倍大きい半径が含まれる。また、側壁半径１０４の中心は、オリフィス１０２の周りで約１０度乃至９０度等の所定量において、隅半径１０８の中心から角度においてずれている。
【００２８】
大径の隅壁半径１０８と比べて小径の側壁半径１０４を有することにより、シュラウド２０の側壁寸法を最小にする一方で、オリフィス１０２により規定される領域を含むオリフィス寸法を最大にすることができる。したがって、シュラウド２０は、５７インチ直径の送風機部１１を収容しつつ６０インチの中心で中心支持体又はスタッドを有する構造物内で適合するよう形成され得る。加えて、オリフィス１０２の領域を最大にしつつ、半径１０８はシュラウド２０を介した送風機部１１の気流と効率を最大にする。したがって、隅壁半径１０８と異なる側壁半径１０４を含むような可変半径オリフィスを含むことで、支持フランジ２０ｘの全体的な寸法を抑えつつオリフィス面積と気流効率の増大を可能にすることができる。
【００２９】
図７を参照すると、シュラウド２０は、送風機部１１の作動中に気体が全体として矢印１１２の方向に流れるように、入口側面乃至面２０ｅと出口側面１１０とを有している。オリフィス壁１０６は、所定角度１１４で下向きに傾斜し得る。角度１１４は、角度１１４においてオリフィス１０６の底壁１０６ｂから延出するライン１０６ｂ’と、シュラウド２０の面壁２０ｅにより定められる線又は平面１００ａに略垂直である線又は平面１０６ｂ”との間の角度として規定され得る。
【００３０】
一般に、シュラウド壁の上部１０６ａは、設置後に重心又は地球の表面からより離れるように配置される。したがって、オリフィス壁１０６の底部１０６ｂは、地面又は地表に最も近い位置である。角度１１４は、雨、露あるいは他の物質等の流動性物質がシュラウド２０の入口面２０ｅからシュラウド２０の出口側面１１０に流出することを許容する。図１及び２に示すように、且つ本明細書においてさらに記載されるように、ディフューザ４０はシュラウド２０及び通常はオリフィス壁１０６に連結されている。このため、ディフューザ４０は、少なくとも角度１１４の一部をも含み得る。したがって、流動性物質はアセンブリ１０から流出つまり出て行き得るが、アセンブリ１０が設置されている構造物の内部には流入しない。また、シュラウド２０やディフューザ４０から物質を排出し得るようにするために、更なる開口や通路をオリフィス壁１０６やディフューザ４０に設ける必要はない。むしろ、角度１１４は、物質がシュラウド２０及びディフューザ４０から重力により流れ出るようにオリフィス壁１０６とディフューザ４０を配置し得る。
【００３１】
角度１１４は、適切に選定された角度であり得る。例えば、角度１１４は、約０．０５度乃至約１０度であり得る。これにはさらに約０．５度乃至約５度が含まれ、さらに約２度が含まれる。通常、角度１１４は、送風機部１１の作動中にハウジング・アセンブリ１０を介した気体の流れを実質的に阻害することなく、入口壁乃至入口面２０ｅや出口側１１０に向かう流動性物質の流れに抗するように設けられている。したがって、角度１１４は約２度を含む約１度乃至約２度であるよう選定され得る。これは、送風機部１１の作動中に、物質がシュラウド２０の入口側１００から流れ去るような緩い角度を許容するが、渦や急な方向転換等の気流における干渉を引き起こすほどの急勾配ではない。
【００３２】
上述のように、また図１及び２に示すように、シュラウド２０はディフューザ４０に連結される。設置の間又は設置工程の一部のときに、ディフューザ４０はシュラウド２０から延出する又はシュラウド２０から形成されるオリフィス壁１０６に相互連結され得る。本明細書においてさらに記載されるように、オリフィス壁１０６は、送風機部１１及びドア３０の近傍に位置する内側表面を含み得る。ドア３０は、通常、送風機部１１の作動中にディフューザ４０の内部にあるように配置される。したがって、ディフューザ４０はオリフィス壁１０６の外側に載置され固定される。
【００３３】
図７及び図１３Ｂに示すように、シール乃至スペーサ部材２０３がオリフィス壁１０６の外側の周囲に配置され得る。スペーサ部材２０３は、オリフィス壁１０６の周縁に適合するようリング状に形成又は成形され得る。スペーサ部材２０３は、例えば約０．７インチの外径のような適当な寸法を有する素材から形成され得る。スペーサ部材２０３の周縁は全体的にオリフィス壁１０６の外縁に適合し得る。ディフューザ４０はスペーサ部材２０３上に取り付けられ得る。したがって、スペーサ部材２０３はオリフィス壁１０６の形状を補強し且つより剛性のあるものにし得る。さらに、スペーサ部材２０３は、ディフューザ４０により画成される容積内へのドア３２、３４の動きのための適当な隙間を確保し得る。
【００３４】
位置決めボルト又は部材１２０がオリフィス壁１０６を通過して延出するように位置決めされ得る。センタリング部材又はボルト１２０は、実質的にシュラウド２０の作成中か輸送前に位置決めされ、オリフィス壁１０６の中心に配置され得る。あるいは、この部材１２０は、組み立て中に配置され得る。センタリング・ボルト１２０は、支持構造体３６に実質的に沿って延びるよう配置され得るか、又はシュラウド２０が設置される建物の支持構造体に略平行に配置され得る。
【００３５】
センタリング・ボルト１２０は、中心孔乃至通路１２２のようなディフューザ４０の一部と係合し得る。上述のように、中心孔１２２はディフューザ４０へと形成されるパネル６０の少なくとも一枚を貫通するように形成され得る。中心孔１２２は、ディフューザ４０が複数のパネル６０から組み立てられると、ディフューザ４０がシュラウド２０に対して位置決めされ保持されることを許容し得る。したがって、締結ストラップ又はボルト１３０のような更なる締結具又は固定要素の取り付け中に、センタリング・ボルト１２０は少なくとも予備的又は効果的にディフューザ４０をシュラウド２０に対して保持することができる。
【００３６】
締結ストラップ１３０は、ディフューザ係合部１３２においてディフューザ４０に係合可能である。複数のリベット（鋲）、ボルト又は他の固定部により締結具１３０をディフューザ４０に保持できる。さらに、ディフューザ又は締結具１３０は、シュラウド係合端部１３４においてシュラウド２０にボルト留め又はリベット留め又は他の態様で係合され得る。送風機部１１の作動のために適当数のディフューザ締結具１３０が設けられて、実質的にディフューザ４０をシュラウド２０に対して固定又は初期固定し得る。設置中の初期において、センタリング・ボルト１２０は、ディフューザ締結具１３０を位置決めしつつディフューザ４０を所定位置に保持することを支援可能である。したがって、センタリング・ボルト１２０は、実質的に一人の人間が、シュラウドを所定の位置で保持することによりディフューザ４０をシュラウド２０へ組み付け、ディフューザ４０の設置中でのディフューザ４０のシュラウド２０への組み付けを可能にするように支援し得る。
【００３７】
さらに図９を参照すると、センタリング・ボルト１２０は、オリフィス壁１０６の内部に延出する第２端部１２０ｂを有し得る。センタリング・ボルト１２０の第２端部１２０ｂは、アイリング又ははと目等の接続部を含み得る。はと目１４０は、第１ドア閉鎖バネ１４２及び第２ドア閉鎖バネ１４４を含み得るドア閉鎖部材乃至システムに相互連結され得る。ドア閉鎖バネ１４２、１４４は、はと目１４０に相互連結する第１端部１４２ａ、１４４ａをそれぞれ含み得る。各第２端部１４２ｂ、１４４ｂは、２つのドア３２、３４に連結して、ドア３２、３４をオリフィス壁１０６の外側又は出口縁に実質的に接触配置させる閉鎖位置に、ドア３２、３４を付勢し得る。２本のバネ１４２、１４４の両方は、センタリング・ボルト１２０の一部又は当該センタリング・ボルト１２０に連結されている単独のはと目１４０に係合し得る。したがって、センタリング・ボルト１２０を含む単独部材が、付勢ばね１４２、１４４を含むドア閉鎖手段及びディフューザ４０の設置及びセンタリングを支援するように配置され得る。ドア閉鎖又は付勢システムは、コイルバネ１４２、１４４のような前記バネ以外の付勢部材や、アメリカ合衆国特許第７，６１１，４０３号に開示されるドア位置決めシステムを含む他の位置決め手段を有し得ることが理解される。アメリカ合衆国特許第７，６１１，４０３号の全内容は、参照としてここに組み込まれる。
【００３８】
図１０及び１１を参照すると、シュラウド２０及びオリフィス壁１０６は、シュラウド２０の一部として形成されて、複数のシュラウド２０の梱包のためにコンパクトな積み重ねを支援し得る。したがって、図１１に示すように、センタリング・ボルト１２０をシュラウドを積み重ねる前に設ける必要はないが、オリフィス壁１０６の形成中又は形成後にセンタリング・ボルト１２０を受容する孔がオリフィス壁１０６に形成され得る。シュラウド２０は、射出成形、ブロー成形、真空成形又は他の適当な成形方法により個別に形成され得る。図１０に示すように、シュラウド２０は、後の輸送用の梱包又は積み重ねのために実質的に個別に形成され得る。
【００３９】
図１０を参照すると、シュラウド２０はオリフィス１０２の周囲に配置された複数のスペーサ１５０を含むように形成され得る。スペーサ１５０は、図１１に示すように、互いに積み重ねられた複数のシュラウド２０間の適当な高さ又は空間距離を提供するように設けられ得る。例えば、スペーサ１５０の高さは約２インチ（約５ｃｍ）乃至約３インチ（約７ｃｍ）であり、これには高さ約２インチ（約５ｃｍ）が含まれる。したがって、多数のシュラウド、例えば６個のシュラウドが、選択可能なオリフィス壁１０６の高さ又は深さを考慮することなく、約１フィート（約３０ｃｍ）の高さのコンテナ内に積み重ねられ得る。また、シュラウド２０の形成中に、スペーサ１５０は例えばシュラウド２０の他の部品と一体的に、シュラウド２０とともに形成され得る。したがって、一体型スペーサ１５０は、シュラウド２０の形成後にそれらを輸送又は収納するために必要となる可能性のある又は選択される可能性のあるいかなる更なるスペーサを不要なものとする。
【００４０】
また、オリフィス壁１０６は、シュラウド２０の外側縁部又は２０ａ乃至２０ｄから離れるにつれて先細になるテーパを画成し得る。すなわち、シュラウド壁１０６は、シュラウド２０の中心に向かって先細になり得る。オリフィス壁１０６のテーパは、例えば約０．０１度乃至約５度から選択され得る。これには約１度乃至約４度、さらには約３度が含まれる。オリフィス壁１０６のテーパは、図１１に示すように複数のシュラウド２０の積み重ねを簡易且つコンパクトにし得る。例えば、約１３個のシュラウド２０が、約３５インチの高さ以内で積み重ねられ得る。
【００４１】
図１１にはシュラウド２０ｉ、２０ｉｉ、２０ｉｉｉ、２０ｉｖが示されている。４個のシュラウド２０ｉ乃至２０ｉｖは、これらの複数のシュラウド２０ｉ乃至２０ｉｖ間に実質的にスペーサ１５０だけを介して離間するようにして、実質的に緊密に互いに積み重ねられている。スペーサ１５０乃至１５０ｉｉｉは、この入れ子状積み重ね状態からシュラウド２０ｉ乃至２０ｉｖを取り外しやすくする。また、図１１に示すように、ドア３２、３４がオリフィス壁１０６に配置されてシュラウド２０ｉ乃至２０ｉｖ間に積み重ねられ得る。シュラウド壁１０６は、本明細書に記載されるように、磁性アセンブリを保持するための磁石収納部２０２を有し得るとともに、ドア３２、３４は、本明細書に記載されるように、ストライカを保持するためのストライカ収納部２０４を有し得る。各ストライカ３００と磁性アセンブリは、積み重ね時にドア３２、３４をシュラウド２０に対して保持するのに役立ち得る。
【００４２】
本明細書にさらに記載されるように、第１及び第２ドア３２、３４を含むドア３０は、シュラウド壁１０６に連結するよう形成され得る。ドア３２、３４は、例えば真空成形、射出成形又は他の適当な成形技術によって、シュラウド２０の他の部分と一体成形されたものとして、すなわちモノリシックなものとして、成形又は他の方法において形成され得る。本明細書にさらに記載されるように、ドア３２、３４は次いでシュラウド２０の他の部分から切断され、例えば軸又はヒンジピンを介するような動作可能な態様で再接続される。
【００４３】
図１２に示すように、シュラウド２０はドア３２、３４を有するように、さらには支持構造体３６を有するように一体的に成形又は形成され得る。支持構造体３６は、送風機部１１の設置及び作動後に、オリフィス壁１０６の寸法を維持することを支援し得る。ドア３２、３４はシュラウド２０と一体的に成形され得る。シュラウド２０は破断乃至切断ライン２００とともに形成されうる。切断ライン２００は、ドア３２、３４をオリフィス壁１０６から切断することを支援する点線又は案内線であり得る。あるいは、ドア３２、３４とともに形成されたシュラウド２０は、ドア３２、３４をシュラウド２０から切断するための治具又は取付具とともに配設可能である。したがって、製造を簡易なものとするとともに製造工程と素材コストを削減するように、ドア３２、３４はシュラウド２０の残りの部分と一体的に形成され得る。
【００４４】
また、本明細書にさらに記載されるように、オリフィス壁１０６は閉鎖収納部又は磁性アセンブリ収納部２０２を有するように形成され得る。磁性アセンブリ収納部２０２は、オリフィス壁１０６の内部又はオリフィス壁１０６上に接して、ドア３２、３４に形成されたストライカ・プレート収納部２０４と実質的に合わせられるように形成され得る。本明細書に再度さらに記載されるように、ストライカ・プレート収納部２０４は、ドア３２、３４がオリフィス壁１０６に対して閉鎖された状態の維持を支援する動作中に、磁性アセンブリ収納部２０２に合わせられ得る。
【００４５】
図１２及び１３Ａに示すように、ドア３２、３４がシュラウドとともに成形された場合、ストライカ収納部２０４は、図１３Ａに示すようにシュラウド／ドア・アセンブリの外側に形成され得る。これに対し、図１２に示すように、磁性アセンブリ収納部２０２はオリフィス壁１０６の内側に形成される。したがって、一旦ドア３２、３４がシュラウド２０の残りの部分から分離されると、ドア３２、３４は、ストライカ収納部２０４が磁性アセンブリ収納部２０２に面するか接触するように反転又は裏返しにされ得る。これにより、ストライカ収納部２０４をオリフィス壁１０６の外側に設けることで効果的に形成される複雑な幾何学的形状をストライカ収納部２０４が有することが可能となり、ストライカ収納部２０２をドア３２、３４に効率的に製造することができる。
【００４６】
また、ドア３２、３４のそれぞれは、第１乃至上側ヒンジピン孔２１０と下側乃至第２ヒンジピン孔２１２を有するように形成され得る。したがって、一対の孔２１０、２１２がドア３２、３４のそれぞれに形成され得るとともに、図１４に示すように孔２１０、２１２のそれぞれはヒンジピン２１４を受容する。したがって、ドア３２、３４のそれぞれは２本のヒンジピン２１４を有し得る。ヒンジピン２１４のそれぞれは、適当ないずれかの孔２１０、２１２に配置され、さらにオリフィス壁１０６の適当なヒンジピン孔２２０、２２２又はオリフィス壁１０６に連結されたブラケットに形成されたヒンジピン孔２２０、２２２に配置され得る。ヒンジピン２１４がドア３２、３４の両端に設けられるとともにヒンジピン２１４がオリフィス壁１０６の各々の２つの又は各々の一対の孔２２０、２２２に配置されることにより、ドア３２、３４はヒンジピン２１４を中心として一般に理解される態様で旋回できる。ヒンジピン２１４は、オリフィス壁１０６に連結され及び／又はオリフィス壁１０６から延出しヒンジピン２１４を受容する別個のブラケットを介してオリフィス壁１０６に相互連結可能であることが理解される。通常、ブラケットは孔２２０、２２２等を介してシュラウド１０６に連結され得る。ドア３２、３４に配設され得るヒンジピン２１４は、シュラウド壁１０ｌ６上のブラケットに連結され得る。ドア３２、３４は、設置されると、一般に送風機部１１に対して下流方向においてディフューザ４０内に開くように、一般に支持体３６の近傍で旋回する。
【００４７】
引き続き図１４及びさらに図１５及び１９を参照すると、ドア３２、３４は所定の断面を有するように成形可能である。図１５に示すように、ドア３４の断面は、ドア３４の両側に、山部すなわち高い部分と谷部とを含む断面を有し得る。以下ではドア３４のみについて説明がなされるが、ドア３２、３４の一方又は両方が詳述する構造を備え得ることを理解されたい。ドア３４は表面上で平らになり得るように実質的に平坦であるかもしれないが、ドア３４の断面は、更なる補強ロッドや固定具を必要とせずにドア３４の補強又はドア３４の堅固さを補助する所定の設計又は構造を備えることが可能である。
【００４８】
ドア３４は、上流側辺部分３４ａ（シュラウドに接触しているか又は送風機１１に近い辺）と（シュラウド２０から離間している）下流側辺部分３４ｂと有し得る。通常、下流側辺部分３４ｂにおいて外側条又はリップ２３０がドア３４の外側端部の周囲に全体として形成され得る。略「開放Ｄ」パターン２３２内の第１リブ部が外側リップ２３０から第１距離において作成され得る。第１リブ部２３２は、ドア３４の出口側辺部分３４ｂに対して山部を形成し得る。第２隆起又はリブ部２３４は、全体として内側又は「閉鎖Ｄ」を形成し得るとともに、さらにドア３４の下側又は出口辺部分３４ｂに対して山部を形成し得る。２つの隆起部２３２、２３４は、ドア３４の出口側辺部３４ｂに対する外側谷部２３６及び内側谷部２３８を画成している。したがって、ドア３４は、ドア３４の入口側辺部分３４ａ又は出口側辺部分３４ｂのいずれかに対する交互の山部と谷部とを含む「２つのＤ」又は「開放及び閉鎖Ｄ」のリブ構造を含むように形成され得る。２つのＤパターンは、ドア３４の外周を全体として模倣し得る。
【００４９】
したがって、ドアパネル３４の素材の厚さは、約２ｍｍ乃至約４ｍｍ等の所定の寸法であり得るとともに、ドア３４の全体的な断面厚さ２４２は、ドア３４が作成又は形成される素材の厚さより大きく形成され得る。ドア３４の断面厚さ２４２は、約０．１インチ（約０．２１ｃｍ）乃至約１インチ（約２ｃｍ）に選択され得る。これにはさらに約０．２インチ（約０．５ｃｍ）乃至０．８インチ（約２ｃｍ）が含まれ、さらには約０．５インチ（約０．１ｃｍ）が含まれる。したがって、ドア３４の断面厚さ２４２は、ドア３４の設置後に追加の固定具や補剛ロッドを用いることなしに、ドア３４の動作のためのドア３４の所定の剛性又は強度を提供するように形成され得る。
【００５０】
上述のように、オリフィス壁１０６に形成された閉鎖又は磁性アセンブリは、ドア３２、３４の閉鎖を支援する磁石を含むように組み立て可能である。ストライカ・プレート又は部分３００（図１８）が、ドア３２、３４に形成されたストライカ収納部２０４に嵌合され得る。本明細書にさらに記載されるように、磁石部及びストライカ部のアセンブリ又は接続部は種々の実施形態において組み立て可能である。通常、磁性アセンブリ収納部２０２に配置された磁石は、所定の力で、ドア３２、３４のストライカ収納部２０４に配置されたストライカ部３００に磁気的に接合できる。磁石とストライカの相互作用は、送風機部１１が作動されていないときにドア３２、３４が閉鎖位置に保持されることを支援し得る。これはドア３２、３４の閉鎖位置における維持を支援し得るものであって、これによりアセンブリ１０が設置された構造体内での所定の環境が維持される。ドア３２、３４を閉鎖位置に維持することにより、空気乃至気体の流れがシュラウド２０を介して移動することが許容されないか実質的に制限される。また、ドア３２、３４及びオリフィス壁１０６に収納部２０２、２０４をそれぞれ設けることにより、磁石部及びストライカ部を保持するための更なる保持機構は必要とされない。したがって収納部２０２、２０４は、オリフィス壁１０６においてドア３２、３４とモノリシックな態様で一体的に形成され得る。
【００５１】
図１６Ａ乃至１６Ｅを参照すると、磁性アセンブリ収納部２０２は、適当な寸法においてオリフィス壁１０６に形成または成形されることが可能である。磁性アセンブリは、収納部２０２に配設され得る。図１６Ａに示すように、磁性アセンブリは、第１の交差端部又はｔ字状端部２７２と第２のｊ字状端部又はフィンガ延長端部２７４とを含み得る磁性サイド・プレート２７０を有し得る。磁性ラッチ部又は磁性アセンブリを組み立てる場合、ｊ−フィンガ部２７６ａ、２７６ｂが収納部２０２の外側に向かって延出するようにして２つのサイド・プレート２７０ａ及び２７０ｂを磁性アセンブリ収納部２０２内に配置することができる。図１６Ｄに示すように、磁石２８０が２枚のプレート２７０ａ、２７０ｂ間に配置されたとき、ｊ形状部分２７６ａ、２７６ｂが収納部２０２の下面に押し付けられて磁性サイド・プレート２７０ａ、２７０ｂが収納部２０２内で所定位置に保持されるのを支援するように、ｔ形状端部２７２は、収納部２０２の上部すなわち収納部２０２の第１端部に係合し得る。図１６Ｅに示すように、磁石２８０は、磁石収納部２０２内において２枚のサイド・プレート２７０ａ、２７０ｂの間に配置される。サイド・プレート２７０ａ、２７０ｂは、磁石２８０のみに対する係止力の増幅を支援可能である。通常、磁力は、ドア３２、３４に対する磁化された領域を拡大するように、サイド・プレート２７０ａ、２７０ｂを介して伝達され得る。さらに、サイド・プレート２７０ａ、２７０ｂは、収納部２０２に対する磁力のセンタリングを支援し得る。
【００５２】
サイド・プレート２７０ａ及び２７０ｂは、更なる道具を用いずに、磁石２８０とともに収納部２０２から離脱又は取り外され得るとともに、収納部２０２内に介挿され得る。換言すれば、図示のように、磁性アセンブリの種々の部分が、例えば摺動により収納部２０２内に挿入され得る。次いで、磁気アセンブリは、例えばリベットやネジ（螺子）等の更なる締結具を必要とせずに、収納部２０２内に摩擦的に保持され得る。しかしながら、磁気アセンブリは収納部２０４内で自由に浮遊又は移動可能であってもよい。磁性アセンブリは、磁石２８０及びサイド・プレート２７０ａ、２７０ｂの取り外しと配設を簡易なものとすることができる。サイド・プレート２７０ａ、２７０ｂは、磁力伝達要素としても役割を果たし得る所定のステンレス鋼のような実質的に耐腐食性の素材から形成可能である。
【００５３】
種々の実施形態によれば、図１７に示すように、オリフィス壁１０６とともに形成された収納部２０２は、２枚のサイド・プレート２９０ａ、２９０ｂ間に配置された磁石２８０を受容し得る。サイド・プレート２９０ａ、２９０ｂは、磁力領域を最大にする又は増加させるとともに収納部２０２内における磁石２８０のストライカ・プレート３００に対する位置決めを支援し得るという点において、上述のサイド・プレート２７０ａ、２７０ｂと同様であり得る。しかしながら、サイド・プレート２９０ａ、２９０ｂは、鋸歯状又は造形外側端部２９２ａ乃至２９２ｄを含み得る。端部２９２ａ乃至２９２ｄは、刻み目、フィンガ、鋸歯デザイン等を有して収納部２０２の内部と緊密に係合し得る。刻み目は収納部２０２に係合して、収納部２０２内でサイド・プレート２０９ａ、２０９ｂ及びこれらの間の磁石２８０を保持し得る。鋸歯状又は造形端部２９２ａ乃至２９２ｄは、収納部内２０２で側壁２９０ａ、２９０ｂを保持するための他の保持部品に対する必要性を排除し得る。造形部分との連結は、収納部２０２からアセンブリが外れることを克服し得る。例えば、ハンマ又はスクリュー・ドライバが、収納部２０２からサイド・プレート２９０ａ、２９０ｂを押し出すために使用されるであろう。したがって、所定の種々の実施形態において、サイド・プレート及び磁石２８０は収納部２０２内に設置され得ることが理解される。サイド・プレート２９０を備えた磁性アセンブリは、更なる道具を用いることなく挿入され得る。
【００５４】
上述のように、ドア３２、３４は、ストライカ収納部２０４位置を有し得るか、図１８に示すようなストライカ・プレート３００を保持し得る。ストライカ３００は磁性ステンレス鋼のような磁性を有する素材から形成され得る。ステンレス・スチールのような非腐食性素材からなるストライカ３００を得ることにより、ストライカ３００は所定の又は長い寿命を得るよう形成され得る。
【００５５】
ストライカ３００は、ストライカ端部３０２と挿入部又はドア係合端部３０４を有し得る。ドア係合端部は、鋸歯状又は造形縁部３０６を含み得る。サイド・プレート２９０ａ、２９０ｂと同様に、図２０に示すように、鋸歯状又は造形縁部３０６はストライカ収納部２０４の側壁３１０と係合し得る。図１９に示すように、ストライカ３００は、所定数設けられ得るとともにストライカ収納部２０４のそれぞれに収容され得る。ストライカ・プレート３００のそれぞれは、側壁３１０同士の間において且つ収納部壁又はブリッジ３１２の下方において、ストライカ収納部２０４に押し込まれ得る。ストライカ・プレート３００は尖頭又は駆動端部３１４を有し得る。尖頭又は駆動端部３１４は、ストライカ・プレート３００を収納部ブリッジ３１２の下方において押し込んだり、ストライカ収納部２０４の一部を覆うプラスチックのフラッシングやオーバーモールドを解放又は破壊することを支援し得る。したがって、磁性アセンブリと同様に、ストライカ・プレート３００は更なる道具を必要とせずにストライカ収納部２０４に設置され得る。また、ストライカ・プレート３００は、ネジやリベット等の更なる締結具を必要とせずに、ストライカ収納部２０４に保持され得る。
【００５６】
上述のように、ストライカ・プレート３００のストライカ端部３０２は、露出されて磁石２８０及びサイド・プレート２７０又は２９０に係合し得る。図１及び９に示すように、設置が完了してドア３２、３４が閉鎖位置にあるとき、ストライカ・プレート３００は、サイド・プレート２７０又は２９０の一部及び磁石２８０と係合してドア３２、３４が閉鎖位置に保持されることを支援し得る。磁力とバネ１４２、１４４により提供される付勢力とにより、ドア３２、３４が閉鎖位置に保持されることが支援され得る。磁性アセンブリやストライカの個数や強度は閉鎖位置におけるドアの適当な閉鎖又は維持力を得るように選定され得ることが理解されるであろう。したがって、図示の個数の磁石収納部やストライカ収納部を設けることは必須ではなく、これらはハウジング１０の設置される環境、送風機部１１の強度及び他の適当な要因に応じて増加可能である。磁性アセンブリをドア３２、３４の収納部に設置するとともに、ストライカ３００をシュラウド壁１０６の収納部に設置して、ドア３２、３４の閉鎖又は付勢が略同様の態様で実施され得ることが理解されるであろう。
【００５７】
換気ハウジング・アセンブリ１０を備えた送風機アセンブリ１１は、いずれの適当な態様で作動され得ることが理解されるであろう。送風機アセンブリ１１は、個人が手動で送風機アセンブリ１１を所定のタイミングで手動でオンにしたりオフにしたりできるように、実質的に手動で作動されてよい。或いは、送風機アセンブリ１１は、現場の電子センサ及び／又はプロセッサシステムにより作動されてもよい。これにより、家畜舎等の建物の所定の特性を監視し、且つ、酸素濃度、二酸化炭素濃度、温度又は他の適当な事項等の所定の特性が満たされているかを判断できる。さらに、送風機システム１１は、例えばインターネット接続、無線接続、有線接続等の種々の接続を介して実質的に遠隔操作されてもよく、家畜舎の種々の事項が監視されてこれに応じて動作可能となっている。さらに、換気システム１０の送風機アセンブリ１１は、時間ベースのシステム又は他の適当な作動システムに基づいて作動されてもよい。
【００５８】
種々の適当な監視制御システムが、インディアナ州のＣＴＢ  Ｉｎｃ．により販売されるＣｈｏｒｅ−ＴｒｏｎｉｃＴＭ制御システム、又は２０１０年７月６日に発行された米国特許出願第７，７５１，９４２号に開示された制御システムを有し得る。前記特許出願の全内容を参照としてここに組み入れる。但し、換気システム１０は所定の結果を実現するようあらゆる適当な態様で作動され得る。換気システム１０の種々の構造及び形体は、所定の結果を実現するように上述のように形成され得る。
【００５９】
図１及び２に示すように、ハウジング・アセンブリ１０は、複数の部品から組み立て可能である。これらの部品は、製造又は作成後に組み立て現場まで輸送され、ハウジングとして組み立てられ、構造物内に設置される。一般に、上述のように、シュラウド２０は、ドア３２、３４と一体的に、すなわちモノリシックな構造として形成され得る。図１２及び１３Ａに示すように、シュラウド２０及びドア３２、３４は一体的に成形され得る。また、シュラウド２０は磁性アセンブリ収納部２０２を有するように成形され得るとともに、ドア３２、３４はストライカ収納部２０４を有するように成形され得る。また、図１１に示すように、複数のシュラウド２０を積み重ね可能とすべく、シュラウド２０は積層スペーサ１５０を有し得る。
【００６０】
輸送に先立ち、ドア３２、３４が切断等によりシュラウド２０の残りの部分から分離され得ることを選択することができる。サイド・プレート２７０又は２９０、磁石２８０及びストライカ・プレート３００を含む磁性アセンブリは、磁性アセンブリ収納部２０２及びストライカ収納部２０４にそれぞれ挿入され得る。次いで、図１１に示すように、磁性アセンブリやストライカが完全に組み付けられた状態で、ドア３２、３４はシュラウド２０間に積み重ねられ得る。設置現場や送風機アセンブリ・ハウジング１０の組み立て中等の所定のタイミングで、ヒンジピン２１４がドア３２、３４に挿入され得るとともに、ドア３２、３４がシュラウド２０に連結され得る。上述のように、ドア３２、３４は、ドア３２、３４に形成されたヒンジピン収納部又はスロットに嵌合する２本のピンを有し得る。図９に示すように、ドア３２、３４は、付勢バネ１４２、１４４等により付勢され得る。
【００６１】
図３乃至５に示すように、ディフューザ４０は複数のパネル６０から形成され得る。パネル６０が切り出される１片の素材が、押し出されるか形成され得る。繰り返しになるが、パネルのそれぞれは、これら複数のパネル６０に相互連結してディフューザ４０を形成するためのタブ７２及びスロット７０を有し得る。図８Ａ及び８Ｂに示すように、ディフューザ４０の形成後に、ディフューザ４０はシュラウド２０に相互連結され得る。上述のように、ディフューザ・パネル６０は実質的に平坦に形成され得るため、複数のディフューザ・パネル６０の十分に効率的且つ緊密な梱包が可能となる。
【００６２】
したがって、設置現場において、きちんと効率的に積み重ねられ現場まで輸送されてきたシュラウド及びドアの梱包物と組み合わせて又はこれに加えて、ディフューザ・パネルの梱包物が提供され得る。設置する個人又はチームは、次いでシュラウド２０、ドア３２、３４及びディフューザ・パネル片６００の梱包を解いた後、図示及び上述したように、種々の部品を相互接続する。この後、ハウジング・アセンブリ１０が完成され得る。そして、送風機部１１が設置されて、上述のように気体がハウジング・アセンブリ１０を通過するよう作動され得る。
【００６３】
また、ハウジング・アセンブリ１０の各部品、又は少なくともディフューザ４０は、実質的に透明の素材により形成又は被覆され得る。被覆又は透明素材は、２０１１年６月２８日に発行された米国特許番号第７，９６６，９７４号に記載された素材と同様である。当該特許はその全内容を参照としてここに組み入れたものとする。透明素材又はコーティングは、ハウジング・アセンブリ１０が設置された構造物内への透過光を実質的にないものとすることを保証し、これにより構造物内の所定の光制御が維持され得る。
【００６４】
本明細書における教示は本質的に単なる例示であり、したがって本発明の要旨を超えない変形例は本発明の範囲に含まれることが意図されている。このような変形例は本発明の挟持の精神及び範囲を逸脱するものしてみなされない。例えば、本明細書に記載されクレームに記載されたいずれの要素又は要素の組み合わせは、本明細書に記載されクレームに記載されたいずれの要素又は要素の組み合わせと組み合わせることが可能であり、これらすべての組み合わせは本発明の開示の範囲内のものである。
【図１】
2014524546.tif 000003
【図２】
2014524546.tif 000004
【図３】
2014524546.tif 000005
【図４】
2014524546.tif 000006
【図５Ａ】
2014524546.tif 000007
【図５Ｂ】
2014524546.tif 000008
【図６】
2014524546.tif 000009
【図７】
2014524546.tif 000010
【図８Ａ】
2014524546.tif 000011
【図８Ｂ】
2014524546.tif 000012
【図９】
2014524546.tif 000013
【図１０】
2014524546.tif 000014
【図１１】
2014524546.tif 000015
【図１２】
2014524546.tif 000016
【図１３Ａ】
2014524546.tif 000017
【図１３Ｂ】
2014524546.tif 000018
【図１４】
2014524546.tif 000019
【図１５】
2014524546.tif 000020
【図１６Ａ】
2014524546.tif 000021
【図１６Ｂ】
2014524546.tif 000022
【図１６Ｃ】
2014524546.tif 000023
【図１６Ｄ】
2014524546.tif 000024
【図１６Ｅ】
2014524546.tif 000025
【図１６Ｆ】
2014524546.tif 000026
【図１７】
2014524546.tif 000027
【図１８】
2014524546.tif 000028
【図１９】
2014524546.tif 000029
【図１９Ａ】
2014524546.tif 000030
【図２０】
2014524546.tif 000031
【国際調査報告】
2014524546.tif 000032
2014524546.tif 000033
2014524546.tif 000034
2014524546.tif 000035